(57)【要約】【課題】通信相手先毎に対応して通信データの秘匿性を効率的に保つこと。【解決手段】この通信データ再生システム１は、携帯電話端末２から通信相手先に関する通信アドレス情報と秘匿フラグとを含む電話帳データを受信して電話帳データ格納部３１に格納するデータ通信部３２と、携帯電話端末２に対して着信した留守番電話メッセージを移動体通信網ＮＷから受信するデータ受信部４１と、留守番電話メッセージを格納する通話録音データ格納部４５と、携帯電話端末２からの要求に応じて留守番電話メッセージを送信するデータ送信部４８とを備え、データ送信部４８は、特定の通信相手先に対応する秘匿フラグが“ＯＦＦ”の場合に留守番電話メッセージを携帯電話端末２に対して送信するように動作する一方、該秘匿フラグが“ＯＮ”の場合に留守番電話メッセージを携帯電話端末２に対して送信しないように動作する。【選択図】図１
2011205239.tif 000002
【特許請求の範囲】
【請求項１】
通信端末から、前記通信端末の複数の通信相手先に関する通信アドレス情報と、前記通信相手先との間の通信を秘匿するか否かを示す秘匿情報とを含む電話帳データを受信する電話帳データ受信手段と、
複数の前記通信アドレス情報のそれぞれと前記秘匿情報とを対応付けて格納する電話帳データ格納手段と、
前記複数の通信相手先から前記通信端末に対して着信した通信データを、前記通信端末の無応答時に通信網から受信する通信データ受信手段と、
前記通信データ受信手段によって受信された通信データを格納する通信データ格納手段と、
前記通信端末からの要求に応じて、前記通信データ格納手段に格納された特定の前記通信相手先からの前記通信データを、前記通信端末に対して送信する通信データ送信手段とを備え、
前記通信データ送信手段は、前記特定の通信相手先に対応する前記秘匿情報を前記電話帳データ格納手段から読み出し、該秘匿情報が通信を秘匿しないことを示す場合に、前記特定の相手先からの前記通信データを前記通信端末に対して送信するように動作する一方、該秘匿情報が通信を秘匿することを示す場合に、前記特定の相手先からの前記通信データを前記通信端末に対して送信しないように動作する、
ことを特徴とする通信データ再生システム。
【請求項２】
前記通信データ格納手段は、通信を秘匿することを示す前記秘匿情報に対応する前記通信相手先からの通信データと、通信を秘匿しないことを示す前記秘匿情報に対応する前記通信相手先からの通信データとを、それぞれ、第１の格納領域及び第２の格納領域に分類して格納し、
前記通信データ送信手段は、前記通信データ格納手段の前記第２の格納領域から読み出した前記通信データを前記通信端末に送信可能なように構成されている、
ことを特徴とする請求項１記載の通信データ再生システム。
【請求項３】
特定の前記通信相手先から前記通信データが着信したことを示す着信通知データを前記通信端末に送信する着信通知手段をさらに備え、
前記着信通知手段は、前記特定の通信相手先に対応する前記秘匿情報を前記電話帳データ格納手段から読み出し、該秘匿情報が通信を秘匿することを示す場合には、前記着信通知データに秘匿状態を示す情報を付加して送信する、
ことを特徴とする請求項１又は２記載の通信データ再生システム。
【請求項４】
電話帳データ受信手段が、通信端末から、前記通信端末の複数の通信相手先に関する通信アドレス情報と、前記通信相手先との間の通信を秘匿するか否かを示す秘匿情報とを含む電話帳データを受信する電話帳データ受信ステップと、
電話帳データ格納手段が、複数の前記通信アドレス情報のそれぞれと前記秘匿情報とを対応付けて格納する電話帳データ格納ステップと、
通信データ受信手段が、前記複数の通信相手先から前記通信端末に対して着信した通信データを、前記通信端末の無応答時に通信網から受信する通信データ受信ステップと、
通信データ格納手段が、前記通信データ受信ステップによって受信された通信データを格納する通信データ格納ステップと、
通信データ送信手段が、前記通信端末からの要求に応じて、前記通信データ格納手段に格納された特定の前記通信相手先からの前記通信データを、前記通信端末に対して送信する通信データ送信ステップとを備え、
前記通信データ送信ステップでは、前記特定の通信相手先に対応する前記秘匿情報を前記電話帳データ格納手段から読み出し、該秘匿情報が通信を秘匿しないことを示す場合に、前記特定の相手先からの前記通信データを前記通信端末に対して送信する一方、該秘匿情報が通信を秘匿することを示す場合に、前記特定の相手先からの前記通信データを前記通信端末に対して送信しない、
ことを特徴とする通信データ再生方法。
【発明の詳細な説明】
【技術分野】
【０００１】
本発明は、通信データ再生システム及び通信データ再生方法に関するものである。
【背景技術】
【０００２】
従来から、携帯電話端末等の通信端末に対する音声通話の着信時にメッセージ等の通信データを一時保存する留守番電話サービスが提供されている。この留守番電話サービスでは、通信端末が通信圏外に位置する場合等で応答することができない場合に、通信網に接続されたサーバ装置等の中継装置によって通信データがモニターされて保存されている。このような留守番電話サービスにおける通信データの再生制御に関する技術としては、複数の発信者によって記録されたメッセージを結合してまとめて再生可能にする技術が知られている（下記特許文献１参照）。
【先行技術文献】
【特許文献】
【０００３】
【特許文献１】特開平１１−１２２３４２号公報
【発明の概要】
【発明が解決しようとする課題】
【０００４】
しかしながら、上述した従来の通信データの再生技術では、秘密性の高い通信内容であっても簡単に再生されてしまう傾向がある。例えば、通信端末を紛失等した場合であっても他人によって容易に再生されてしまう場合があった。一方で、秘密性の低い通信内容までも一律に隠してしまうとユーザの利便性が低下する。
【０００５】
そこで、本発明は、かかる課題に鑑みて為されたものであり、通信相手先毎に対応して通信データの秘匿性を効率的に保つことが可能な通信データ再生システム及び通信データ再生方法を提供することを目的とする。
【課題を解決するための手段】
【０００６】
上記課題を解決するため、本発明の通信データ再生システムは、通信端末から、通信端末の複数の通信相手先に関する通信アドレス情報と、通信相手先との間の通信を秘匿するか否かを示す秘匿情報とを含む電話帳データを受信する電話帳データ受信手段と、複数の通信アドレス情報のそれぞれと秘匿情報とを対応付けて格納する電話帳データ格納手段と、複数の通信相手先から通信端末に対して着信した通信データを、通信端末の無応答時に通信網から受信する通信データ受信手段と、通信データ受信手段によって受信された通信データを格納する通信データ格納手段と、通信端末からの要求に応じて、通信データ格納手段に格納された特定の通信相手先からの通信データを、通信端末に対して送信する通信データ送信手段とを備え、通信データ送信手段は、特定の通信相手先に対応する秘匿情報を電話帳データ格納手段から読み出し、該秘匿情報が通信を秘匿しないことを示す場合に、特定の相手先からの通信データを通信端末に対して送信するように動作する一方、該秘匿情報が通信を秘匿することを示す場合に、特定の相手先からの通信データを通信端末に対して送信しないように動作する。
【０００７】
或いは、本発明の通信データ再生方法は、電話帳データ受信手段が、通信端末から、通信端末の複数の通信相手先に関する通信アドレス情報と、通信相手先との間の通信を秘匿するか否かを示す秘匿情報とを含む電話帳データを受信する電話帳データ受信ステップと、電話帳データ格納手段が、複数の通信アドレス情報のそれぞれと秘匿情報とを対応付けて格納する電話帳データ格納ステップと、通信データ受信手段が、複数の通信相手先から通信端末に対して着信した通信データを、通信端末の無応答時に通信網から受信する通信データ受信ステップと、通信データ格納手段が、通信データ受信ステップによって受信された通信データを格納する通信データ格納ステップと、通信データ送信手段が、通信端末からの要求に応じて、通信データ格納手段に格納された特定の通信相手先からの通信データを、通信端末に対して送信する通信データ送信ステップとを備え、通信データ送信ステップでは、特定の通信相手先に対応する秘匿情報を電話帳データ格納手段から読み出し、該秘匿情報が通信を秘匿しないことを示す場合に、特定の相手先からの通信データを通信端末に対して送信する一方、該秘匿情報が通信を秘匿することを示す場合に、特定の相手先からの通信データを通信端末に対して送信しない。
【０００８】
このような通信データ再生システム及び通信データ再生方法によれば、複数の通信相手先に関する通信アドレス情報と、その通信相手先との間の通信に関する秘匿情報とが、電話帳データ格納手段に対応付けて格納されており、複数の通信相手先から通信端末に着信した通信データが通信網から受信された後に通信データ格納手段に格納される。そして、特定の通信相手先から着信した通信データの再生が通信端末から要求されると、その特定の通信相手先に対応する秘匿情報が電話帳データ格納手段から読み出され、その秘匿情報が通信を秘匿しないことを示す場合にはその通信相手先からの通信データが通信端末に送信され、その秘匿情報が通信を秘匿することを示す場合にはその通信相手先からの通信データは通信端末に送信されない。これにより、予め通信相手先毎に設定された秘匿情報に応じて通信データの送信の可否が判断されるので、複数の通信相手先に対応して通信データの秘匿性を効率的に保つことができる。さらに、秘密性の低い通信相手先からの通信データを容易に再生可能にすることで、通信端末のユーザの利便性を維持することができる。
【０００９】
通信データ格納手段は、通信を秘匿することを示す秘匿情報に対応する通信相手先からの通信データと、通信を秘匿しないことを示す秘匿情報に対応する通信相手先からの通信データとを、それぞれ、第１の格納領域及び第２の格納領域に分類して格納し、通信データ送信手段は、通信データ格納手段の第２の格納領域から読み出した通信データを通信端末に送信可能なように構成されていることが好ましい。かかる通信データ格納手段を備えれば、秘匿性の高い通信データと秘匿性の低いデータとが別々に格納されるので、通信データの送信制御が単純化されて通信端末における通信データの再生処理の応答時間が短縮化される。
【００１０】
また、特定の通信相手先から通信データが着信したことを示す着信通知データを通信端末に送信する着信通知手段をさらに備え、着信通知手段は、特定の通信相手先に対応する秘匿情報を電話帳データ格納手段から読み出し、該秘匿情報が通信を秘匿することを示す場合には、着信通知データに秘匿状態を示す情報を付加して送信する、ことも好ましい。かかる構成を採れば、通信端末のユーザに着信を迅速に通知することができるとともに、秘匿性の高い通信相手先からの着信自体もその秘匿性を確実に保持することができる。
【発明の効果】
【００１１】
本発明によれば、通信相手先毎に対応して通信データの秘匿性を効率的に保つことができる。
【図面の簡単な説明】
【００１２】
【図１】本発明の好適な一実施形態にかかる通信データ再生システムの概略構成図である。
【図２】図１の電話帳データ格納部に格納されるデータの構成を示す図である。
【図３】図１の設定情報格納部に格納されるデータの構成を示す図である。
【図４】図１の通話録音データ格納部に格納されるデータの構成を示す図である。
【図５】図１の通信データ再生システムによる留守番電話メッセージ録音処理を示すフローチャートである。
【図６】図１の通信データ再生システムによる着信通知処理を示すフローチャートである。
【図７】図１の通信データ再生システムによる留守番電話メッセージ再生処理を示すフローチャートである。
【発明を実施するための形態】
【００１３】
以下、図面とともに本発明による通信データ再生システム及び通信データ再生方法の好適な実施形態について詳細に説明する。なお、図面の説明においては同一要素には同一符号を付し、重複する説明を省略する。
【００１４】
図１は、本発明の好適な一実施形態にかかる通信データ再生システム１の概略構成図である。図１に示すように、本実施形態にかかる通信データ再生システム１は、電話帳保存用サーバ３と通話録音用サーバ４とを含む複数のサーバ装置から成るサーバシステムであり、ＩＭＴ−２０００（International Mobile Telecommunication 2000）等の移動体通信方式によって接続されることによって、移動体通信網ＮＷを介して携帯電話端末２との間で音声通信及びデータ通信を行うことが可能とされている。ここで、同図には、便宜上、１台の携帯電話端末２を図示しているが、それ以上の複数台存在してもよいことは言うまでもない。
【００１５】
この通信データ再生システム１に接続される携帯電話端末２は、通信データ再生システム１による留守番電話メッセージ（通信データ）の再生を行おうとするユーザが使用する通信端末であり、機能的な構成要素として、データ入力部２１、データ送信部２２、データ受信部２３、データ再生部２４、電話帳データ格納部２５、及び設定情報格納部２６を備えている。ここで、通信データ再生システム１には、携帯電話端末２に換えて、移動体通信網ＮＷに接続可能なパーソナルコンピュータやＰＤＡ（Personal Digital Assistants）等の通信端末が接続されてもよい。
【００１６】
携帯電話端末２のデータ入力部２１は、ユーザから入力キー等のデータ入力装置（図示せず）を利用した様々なデータの入力を受け付け、そのデータをデータ送信部２２等の他の構成要素に引き渡す機能と、ユーザから受け付けたデータを電話帳データ格納部２５及び設定情報格納部２６等の情報格納装置に格納する機能とを有する。詳細には、データ入力部２１は、ユーザから携帯電話端末２の通信相手先に関する電話帳データの入力を受け付け、その電話帳データを電話帳データ格納部２５に格納する。また、データ入力部２１は、ユーザから携帯電話端末２の動作を設定するための設定パラメータの入力も受け付け、その設定パラメータを設定情報格納部２６に格納する。
【００１７】
図２には、電話帳データ格納部２５に格納された電話帳データの構成の一例を示している。同図に示すように、電話帳データ格納部２５には、通信相手先に関する通信アドレスである“電話番号：090-xxxxxxxx”、及び“メールアドレス：xxx@xxxx.ne.jp”と、その通信相手先との通信を秘匿するか否かを示す秘匿フラグ（秘匿情報）“ON”とが対応付けられて、電話帳データとして格納される。この秘匿フラグは、ユーザによって通信相手先毎に入力されるデータであり、設定値“ＯＮ”はその通信相手先との通信を秘匿することを意味し、設定値“ＯＦＦ”はその通信相手先との通信を秘匿しないことを意味する。
【００１８】
また、図３には、設定情報格納部２６に格納された設定パラメータの構成の一例を示している。同図に示すように、設定情報格納部２６には、ユーザが変更可能な様々な動作環境を設定するための設定パラメータが格納されており、例えば、設定項目“電話着信音”の設定値として“３”が設定され、設定項目“秘匿モード”の設定値として“ＯＮ”が設定される。この設定項目“秘匿モード”の設定パラメータは、電話帳データ格納部２５の電話帳データに設定された秘匿フラグに基づいて該当する通信相手先との通信を秘匿するように動作させるか否かを決定するパラメータである。より詳細には、“秘匿モード”が“ＯＮ”に設定された場合には、携帯電話端末２において、秘匿フラグが“ＯＮ”にされた電話帳データが表示不可の状態に設定されると同時に、秘匿フラグが“ＯＮ”にされた通信アドレスからの着信履歴が表示不可の状態に設定される。
【００１９】
図１に戻って、携帯電話端末２のデータ送信部２２は、電話帳データのバックアップを実行するために、電話帳データ格納部２５に格納された電話帳データを移動体通信網ＮＷを経由して電話帳保存用サーバ３に送信する。この電話帳データの送信は、ユーザの要求に応じて随時行われてもよいし、定期的に自動で行われてもよい。また、データ送信部２２は、ユーザの要求に応じて、通話録音用サーバ４に対して留守番電話メッセージに関する再生要求を、設定情報格納部２６に格納された秘匿モードと共に送信する機能も有する。データ受信部２３は、この再生要求に応じて通話録音用サーバ４から送信された留守番電話メッセージ再生用の音声データを受信し、データ再生部２４は、データ受信部２３によって受信された音声データをスピーカ等の出力装置（図示せず）によって再生させる。また、データ受信部２３は、通話録音用サーバ４から携帯電話端末２に対して留守番電話メッセージが保存されたことを通知するための着信通知データを、通話録音用サーバ４から受信することも行う。
【００２０】
通信データ再生システム１を構成する電話帳保存用サーバ３は、データ通信部（電話帳データ受信手段）３２と電話帳データ格納部（電話帳データ格納手段）３１とを備えている。データ通信部３２は、複数の通信相手先に関する電話番号やメールアドレス等の通信アドレス情報と、それらの通信相手先との間の通信を秘匿するか否かを示す秘匿フラグとを含む電話帳データを、携帯電話端末２から受信する。また、データ通信部３２は、受信した電話帳データを電話帳データ格納部３１に格納する。この電話帳データ格納部３１のデータ構成は、図２に示したデータ構成と同様である。
【００２１】
通信データ再生システム１を構成する通話録音用サーバ４は、データ受信部（通信データ受信手段）４１、録音制御部４２、通話録音データ格納部（通信データ格納手段）４５、通知部（着信通知手段）４６，再生制御部（通信データ送信手段）４７、及びデータ送信部（通信データ送信手段、着信通知手段）４８を備えている。以下、通話録音用サーバ４の構成要素に関して詳細に説明する。
【００２２】
データ受信部４１は、移動体通信網ＮＷから各種のデータを受信する機能を担う。すなわち、データ受信部４１は、特定の通信相手先から移動体通信網ＮＷ内で携帯電話端末２に対する着信が発生したときに携帯電話端末２が無応答であった場合に、移動体通信網ＮＷから留守番電話への切替を示す切替信号を受信した後に、その通信相手先から着信した留守番電話メッセージを音声データの形式で移動体通信網ＮＷから受信する。そして、データ受信部４１は、受信した留守番電話メッセージを録音制御部４２に送出する。また、データ受信部４１は、携帯電話端末２から、留守番電話メッセージの再生要求を示す再生要求信号を受信する機能も有し、この再生要求の受信を再生制御部４７に通知する。
【００２３】
録音制御部４２は、留守番電話メッセージの保存を制御する部分であり、発信者判断部４３と録音実行部４４とを含んで構成されている。発信者判断部４３は、データ受信部４１よって受信された留守番電話メッセージに対応する通信相手先に関して秘匿モードが設定されているか否かを判断する。具体的には、発信者判断部４３は、通信相手先を切替信号等に含まれる電話番号により特定し、その電話番号に対応する電話帳データを電話帳保存用サーバ３の電話帳データ格納部３１から読み出す。さらに、発信者判断部４３は、読み出した電話帳データに含まれる秘匿フラグを参照することによって、その通信相手先からの留守番電話メッセージが秘匿対象であるか否かを判断し、その判断結果を録音実行部４４に渡す。これに対して、録音実行部４４は、発信者判断部４３の判断結果に応じて、該当する留守番電話メッセージを分類して通話録音データ格納部４５に格納する。詳細には、録音実行部４４は、留守番電話メッセージの通信相手先に対応する秘匿フラグが“ＯＮ”であった場合には、その留守番電話メッセージを通話録音データ格納部４５の第１フォルダ（格納領域）に格納し、これに対し、通信相手先に対応する秘匿フラグが“ＯＦＦ”であった場合には、その留守番電話メッセージを通話録音データ格納部４５の第２フォルダ（格納領域）に格納する。このとき、録音実行部４４は、留守番電話メッセージと共に、その留守番電話メッセージを検索するための検索用インデックスデータを生成し、通話録音データ格納部４５に格納する。
【００２４】
図４には、録音実行部４４によって格納された検索用インデックスデータの構成を示している。同図に示すように、通話録音データ格納部４５には、留守番電話メッセージの発信先及び発信元（通話相手先）を示す“発信先電話番号：090-zzzzzzzz”及び“発信元：090-yyyyyyyy”とが、留守番電話メッセージの生成時刻“2010/1/2 12:43:20”、及び留守番電話メッセージのデータ格納先を示す“\AAA/001.dat”に対応付けて格納される。この例では、秘匿対象データの格納先である第１フォルダが“\AAA/”、非秘匿対象データの格納先である第２フォルダが“\BBB/”に設定されている。
【００２５】
図１に戻って、通知部４６は、携帯電話端末２を宛先とした留守番電話メッセージが通話録音データ格納部４５に格納されたことを携帯電話端末２に通知するための着信通知データを生成する。すなわち、通知部４６は、通話録音データ格納部４５に格納されている検索用インデックスデータを随時参照し、発信先電話番号として携帯電話端末２の電話番号を含むデータが存在する場合には、携帯電話端末２に留守番電話メッセージが着信したことを示す着信通知データを生成する。このとき、通知部４６は、検索インデックス用データに含まれる発信元電話番号を元に、電話帳保存用サーバ３から該当する発信元電話番号の電話帳データを抽出し、抽出した電話帳データの発信元電話番号に対応する秘匿フラグを読み出す。そして、通知部４６は、読み出した秘匿フラグに応じて、着信通知データに秘匿状態を示す情報を付加して着信通知データを生成する。例えば、通知部４６は、着信通知データとして、携帯電話端末２に着信した秘匿状態別の留守番電話メッセージの件数を含む情報“秘匿有り：２件、秘匿無し：１件”を生成する。
【００２６】
再生制御部４７は、データ受信部４１を介して携帯電話端末２から再生要求信号を受信した場合に、通話録音データ格納部４５から携帯電話端末２を着信先とする留守番電話メッセージを読み出す。この場合、再生制御部４７は、再生要求信号と共に受信された秘匿モードが“ＯＮ”を示す場合には、通話録音データ格納部４５の第２フォルダのみから発信先を携帯電話端末２とする留守番電話メッセージを読み出して、データ送信部４８に引き渡す。その一方で、再生制御部４７は、再生要求信号と共に受信された秘匿モードが“ＯＦＦ”を示す場合には、通話録音データ格納部４５の第１フォルダ及び第２フォルダの両方から発信先を携帯電話端末２とする留守番電話メッセージを読み出して、データ送信部４８に引き渡す。
【００２７】
データ送信部４８は、再生制御部４７から引き渡された留守番電話メッセージを携帯電話端末２に送信することにより、携帯電話端末２での留守番電話メッセージの再生を可能にする。これにより、データ送信部４８は、携帯電話端末２において秘匿モードが“ＯＮ”に設定された際に、秘匿フラグが“ＯＦＦ”に設定された通信相手先からの留守番電話メッセージのみを携帯電話端末２に送信し、秘匿フラグが“ＯＮ”に設定された通信相手先からの留守番電話メッセージは携帯電話端末２に送信しないように動作することになる。
【００２８】
次に、図５〜７を参照して、通信データ再生システム１の動作について説明するとともに、併せて通信データ再生システム１における通信データ再生方法について詳述する。図５〜７は、それぞれ、通信データ再生システム１による留守番電話メッセージ録音処理を示すフローチャート、通信データ再生システム１による着信通知処理を示すフローチャート、通信データ再生システム１による留守番電話メッセージ再生処理を示すフローチャートである。
【００２９】
まず、図５を参照して、留守番電話メッセージの録音時の処理を説明する。最初に、移動体通信網ＮＷにおいて特定の通信相手先から携帯電話端末２に対する音声通話の着信が発生する（ステップＳ１０１）。そうすると、移動体通信網ＮＷにおいて携帯電話端末２による応答の有無が判定される（ステップＳ１０２）。判定の結果、携帯電話端末２による応答が検出された場合には（ステップＳ１０２；ＹＥＳ）、通信相手先と携帯電話端末２との間での音声通話が開始される（ステップＳ１０３）。
【００３０】
一方、携帯電話端末による応答が所定時間の間で検出されなかった場合には（ステップＳ１０２；ＮＯ）、通信相手先からの着信が留守番電話モードに移行され、その通信相手先と通話録音用サーバ４との間が接続される（ステップＳ１０４）。その後、通信相手先からの留守番電話メッセージが音声データに加工されて通話録音用サーバ４のデータ受信部４１によって受信される（ステップＳ１０５）。このデータ受信部４１による受信に応じて、通話録音用サーバ４の録音制御部４２は、留守番電話メッセージの発信元に対応する秘匿フラグを電話帳保存用サーバ３から読み出し（ステップＳ１０６）、その秘匿フラグが“ＯＮ”であるか否かを判定する（ステップＳ１０７）。
【００３１】
上記判定の結果、秘匿フラグが“ＯＮ”の場合には（ステップＳ１０７；ＹＥＳ）、録音制御部４２は、受信された留守番電話メッセージを、通話録音データ格納部４５の秘匿対象データ用の第１フォルダに格納する（ステップＳ１０９）。一方、秘匿フラグが“ＯＦＦ”の場合には（ステップＳ１０７；ＮＯ）、録音制御部４２は、受信された留守番電話メッセージを、通話録音データ格納部４５の通常データ用の第２フォルダに格納する（ステップＳ１０８）。
【００３２】
図６に移って、着信通知データの送信時の処理について説明する。通話録音用サーバ４の通知部４６は、通話録音データ格納部４５に格納されている検索用インデックスデータを随時参照し、携帯電話端末２に着信した留守番電話メッセージの有無をチェックする（ステップＳ２０１）。その結果、携帯電話端末２に着信した留守番電話メッセージが存在する場合には、通知部４６は、その留守番電話メッセージの発信先の電話番号を特定し、その電話番号に対応する秘匿フラグを電話帳保存用サーバ３から読み出す（ステップＳ２０２）。
【００３３】
その後、通知部４６は、発信先の電話番号に対応する秘匿フラグが“ＯＮ”であるか否かを判定する（ステップＳ２０３）。その結果、秘匿フラグが“ＯＮ”である場合には（ステップＳ２０３；ＹＥＳ）、通知部４６は、留守番電話メッセージの秘匿状態“秘匿有り”を示す情報を含む着信通知データを生成する（ステップＳ２０４）。一方、秘匿フラグが“ＯＦＦ”である場合には（ステップＳ２０３；ＮＯ）、通知部４６は、留守番電話メッセージの秘匿状態“秘匿無し”を示す情報を含む着信通知データを生成する（ステップＳ２０５）。次に、生成された着信通知データは、データ送信部４８によって携帯電話端末２に送信される（ステップＳ２０６）。
【００３４】
これに対して、携帯電話端末２によって着信通知データが受信されると、携帯電話端末２によって着信通知データの中に秘匿状態“秘匿有り”を示す情報が含まれているか否かが判断される（ステップＳ２０７）。その結果、秘匿状態“秘匿有り”を示す情報が含まれていない場合には、着信通知として留守番電話メッセージの保存件数がディスプレイ等の情報出力装置に表示される（ステップＳ２０８）。一方、秘匿状態“秘匿有り”を示す情報が含まれている場合には、設定情報格納部２６に設定された秘匿モードが“ＯＮ”であるか否かがさらに判断される（ステップＳ２０９）。
【００３５】
その結果、秘匿モードが“ＯＮ”である場合には（ステップＳ２０９；ＹＥＳ）、秘匿対象の留守番電話メッセージに関する着信通知を出力対象外にするように、着信通知がディスプレイ等の情報出力装置に出力される（ステップＳ２１０）。このとき、例えば、着信通知データが“秘匿有り：２件、秘匿無し：１件”に設定されていた場合には、携帯電話端末２では、秘匿対象ではない留守番電話メッセージに関しての保存件数“１件”が出力される。これに対して、秘匿モードが“ＯＦＦ”である場合には（ステップＳ２０９；ＮＯ）、秘匿対象の留守番電話メッセージに関する着信通知も出力対象にするように、着信通知がディスプレイ等に表示される（ステップＳ２０８）。このとき、例えば、着信通知データが上記のように設定されていた場合には、携帯電話端末２では、全ての留守番電話メッセージに関しての保存件数“３件”が表示される。
【００３６】
さらに、図７を参照して、携帯電話端末２による留守番電話メッセージの再生処理について説明する。まず、携帯電話端末２のデータ入力部２１においてユーザからの再生要求が受け付けられる（ステップＳ３０１）。そうすると、データ送信部２２によって設定情報格納部２６に設定された秘匿モードが参照され、その秘匿モードが“ＯＮ”であるか否かが判定される（ステップＳ３０２）。
【００３７】
判定の結果、秘匿モードが“ＯＦＦ”である場合には（ステップＳ３０２；ＮＯ）、データ送信部２２から通話録音用サーバ４のデータ受信部４１に再生要求が送信される（ステップＳ３０３）。その後、通話録音用サーバ４によって、携帯電話端末２に着信した留守番電話メッセージが、通話録音データ格納部４５内の第１フォルダ及び第２フォルダの両方から読み出されて携帯電話端末２に向けて送信され、携帯電話端末２のデータ受信部２３によってそれらの留守番電話メッセージが受信される（ステップＳ３０４）。次に、携帯電話端末２のデータ再生部２４によって留守番電話メッセージが再生される（ステップＳ３０７）。
【００３８】
これに対して、秘匿モードが“ＯＮ”である場合には（ステップＳ３０２；ＹＥＳ）、データ送信部２２から通話録音用サーバ４のデータ受信部４１に対して、その秘匿モードを示す情報と共に再生要求が送信される（ステップＳ３０５）。その後、通話録音用サーバ４によって、携帯電話端末２に着信した留守番電話メッセージが、通話録音データ格納部４５内の第２フォルダのみから読み出されて携帯電話端末２に向けて送信され、携帯電話端末２のデータ受信部２３によってそれらの留守番電話メッセージが受信される（ステップＳ３０６）。次に、携帯電話端末２のデータ再生部２４によって留守番電話メッセージが再生される（ステップＳ３０７）。
【００３９】
以上説明した通信データ再生システム１によれば、複数の通信相手先に関する通信アドレス情報と、その通信相手先との間の通信に関する秘匿フラグとが、電話帳データ格納部３１に対応付けて格納されており、複数の通信相手先から携帯電話端末２に着信した留守番電話メッセージが移動体通信網ＮＷから受信された後に通話録音データ格納部４５に格納される。そして、特定の通信相手先から着信した留守番電話メッセージの再生が携帯電話端末２から要求されると、その特定の通信相手先に対応する秘匿フラグが電話帳データ格納部３１から読み出され、その秘匿フラグが通信を秘匿しないことを示す場合にはその通信相手先からの留守番電話メッセージが携帯電話端末２に送信され、その秘匿フラグが通信を秘匿することを示す場合にはその通信相手先からの留守番電話メッセージは携帯電話端末２に送信されない。これにより、予め通信相手先毎に設定された秘匿フラグに応じて留守番電話メッセージの送信の可否が判断されるので、複数の通信相手先に対応して通信データの秘匿性を効率的に保つことができる。さらに、秘密性の低い通信相手先からの通信データを容易に再生可能にすることで、通信端末のユーザの利便性を維持することができる。
【００４０】
ここで、通話録音データ格納部４５には、秘匿対象の通信相手先からの留守番電話メッセージと、秘匿対象でない通信相手先からの留守番電話メッセージとが分類して格納され、再生制御部４７が、携帯電話端末２に設定された秘匿モードに応じて分類された留守番電話メッセージから選択して読み出すので、通信データの送信制御が単純化されて携帯電話端末２における留守番電話メッセージの再生処理の応答時間が短縮化される。
【００４１】
また、特定の通信相手先から留守番電話メッセージが着信したことを示す着信通知データが携帯電話端末２に送信される際に、特定の通信相手先に対応する秘匿フラグが“ＯＮ”の場合にその着信通知データに秘匿状態を示す情報が付加されるので、携帯電話端末２のユーザに着信を迅速に通知することができるとともに、秘匿性の高い通信相手先からの着信自体もその秘匿性を確実に保持することができる。
【００４２】
なお、本発明は、前述した実施形態に限定されるものではない。例えば、通話録音用サーバ４の保存する通信データとしては、留守番電話メッセージ等の音声データに限定されるものではなく、携帯電話端末２に着信する電子メールデータや画像データ等の様々な通信データを対象としてもよい。
【符号の説明】
【００４３】
１…通信データ再生システム、２…携帯電話端末（通信端末）、３…電話帳保存用サーバ、４…通話録音用サーバ、３１…電話帳データ格納部（電話帳データ格納手段）、３２…データ通信部（電話帳データ受信手段）、４１…データ受信部（通信データ受信手段）、４５…通話録音データ格納部（通信データ格納手段）、４６…通知部（着信通知手段）、４７…再生制御部（通信データ送信手段）、４８…データ送信部（通信データ送信手段、着信通知手段）。
【図１】
2011205239.tif 000003
【図２】
2011205239.tif 000004
【図３】
2011205239.tif 000005
【図４】
2011205239.tif 000006
【図５】
2011205239.tif 000007
【図６】
2011205239.tif 000008
【図７】
2011205239.tif 000009